(57)【特許請求の範囲】
【請求項１】
車軸方向に離間して配設された円板状摺動板と、両摺動板間に放射状であって半径方向外方に向かうにつれて当該摺動板の回転方向と反対方向に傾斜さすように配設され、かつ複数に分割された一連の分割隔壁からなり、この一連の分割隔壁が当該摺動板の円周上に複数組形成されることで半径方向内方から外方に向かって開口する複数の入口開口および出口開口が形成されてなるブレーキディスクローターであって、前記複数に分割された一連の分割隔壁は、半径方向内方に配設された第一分割隔壁に対してその半径方法外方に配設された第二分割隔壁が、当該摺動板の回転方向と反対方向に角度位相差をもって離間して配設され、当該摺動板の円周上に複数組ある半径方向内方の第一分割隔壁の半径方向外方の端部間を結んだ包絡円は、第一分割隔壁より半径方向外方にある第二分割隔壁の半径方向内方の端部間を結んだ包絡円と略一致してなり、前記第一分割隔壁の半径方向内方の端部と前記円板状摺動板の回転中心とを結ぶ中心線に対する前記第一分割隔壁の長手方向中心線がなす角度が、前記円板状摺動板の回転方向に対して遅れる側に傾斜しており、前記第一分割隔壁の前記角度に対して半径方向外方にある第二分割隔壁の当該角度が減少するように形成され、各分割隔壁が前記円板状摺動板の回転方向に対して凹となるように形成されたことを特徴とするブレーキディスクローター。
【発明の詳細な説明】
【技術分野】
【０００１】
本発明は、車両その他で使用されるディスクブレーキ装置のブレーキディスクローターに関する。
【背景技術】
【０００２】
従来のブレーキディスクローターは図７および図８に示すように車軸方向に離間して配設された円板状の摺動板ＯＤ、ＩＤ間に単純な放射状の複数の隔壁ＢＨを形成し、各隔壁間に入口開口ＩＴ、出口開口ＯＬおよび放射状の通路ＶＨを形成するものである。
【０００３】
また、特許文献１に示すような種々の通風性の改善がはかられている。
【先行技術文献】
【特許文献】
【０００４】
【特許文献１】特開平５−３４６１２６号公報
【発明の概要】
【発明が解決しようとする課題】
【０００５】
上記従来のブレーキディスクローターは、円板状摺動板の回転に伴い通路ＶＨ内に流入した流れが、フィンを構成する隔壁ＢＨの負圧面側で隔壁ＢＨの厚さ方向に剥離を発生し、流れの通り道である通路ＶＨ内では隔壁ＢＨ下部に広いよどみＳＬが生じるため主流域ＭＦが非常に狭くなり通風性が良くないという問題があった。
【０００６】
また、上記特許文献１にはこの問題を解決する手段として当該摺動板が回転した時に流入する流れの流入角Ψ以下の角度で隔壁を半径方向に対して傾斜させ、かつ隔壁の途中を分断し間隙を設け流れの一部を負圧面側に流れ込ませることで通風性を改善することが提案されている。
【０００７】
しかしながら、この特許文献１の方法では隔壁の途中が分断され、かつ隙間が開いているので送風翼としての隔壁の有効長さが短くなり送風性能の向上度合が少ないという問題があった。
【課題を解決するための手段】
【０００８】
本発明のブレーキディスクローターは、これらの問題を鑑みてなされたもので、請求項１に記載の本発明は、車軸方向に離間して配設された円板状摺動板と、両摺動板間に放射状であって半径方向外方に向かうにつれて当該摺動板の回転方向と反対方向に傾斜さすように配設され、かつ複数に分割された一連の分割隔壁からなり、この一連の分割隔壁が当該摺動板の円周上に複数組形成されることで半径方向内方から外方に向かって開口する複数の入口開口および出口開口が形成されてなるブレーキディスクローターであって、前記複数に分割された一連の分割隔壁は、半径方向内方に配設された第一分割隔壁に対してその半径方法外方に配設された第二分割隔壁が、当該摺動板の回転方向と反対方向に角度位相差をもって離間して配設され、当該摺動板の円周上に複数組ある半径方向内方の第一分割隔壁の半径方向外方の端部間を結んだ包絡円は、第一分割隔壁より半径方向外方にある第二分割隔壁の半径方向内方の端部間を結んだ包絡円と略一致するように構成されているものである。
【０００９】
また、本発明において前記複数に分割された一連の分割隔壁は、前記第一分割隔壁の半径方向内方の端部と前記円板状摺動板の回転中心とを結ぶ中心線に対する前記第一分割隔壁の長手方向中心線がなす角度が、前記円板状摺動板の回転方向に対して遅れる側に傾斜しており、前記第一分割隔壁の前記角度に対して半径方向外方にある第二分割隔壁の当該角度が減少するように構成されているものである。
【００１０】
さらに、前記複数に分割された一連の分割隔壁は、前記円板状摺動板の回転方向に対して凹となるように形成されるように構成されているものである。
【発明の効果】
【００１１】
上記構成によりなる本発明のブレーキディスクローターは、前記第一分割隔壁の半径方向内方の端部と前記円板状摺動板の回転中心とを結ぶ中心線に対する前記第一分割隔壁の長手方向中心線がなす角度が、前記円板状摺動板の回転方向に対して遅れる側に傾斜するように配設され、第一分割隔壁が流れの流入方向に向いていることで流体が流入し易くなるという効果を奏する。
【００１２】
さらに、第一分割隔壁から取り込まれた流れは、第一分割隔壁の半径方向外方にある第二の分割隔壁に捕捉される。第一分割隔壁に対して第二分割隔壁は当該摺動板の回転方向と反対方向に角度位相差をもって離間して配設されるように構成されているので、第一分割隔壁から取り込まれ第一分割隔壁に沿った流れは第一分割隔壁の半径方向外方の端部で、この端部を回り込むように第一分割隔壁から剥離し第二分割隔壁に捕捉されるので、分割隔壁との接触時間が長くすることができ、制動時にブレーキディスクローターとブレーキパッドとの摩擦熱が分割隔壁を通じてこの流体に効果的に取り込ませることができ、発生する摩擦熱を効果的に放出させることができるという効果を奏する。
【００１３】
また、円板状摺動板の円周上に複数組ある半径方向内方の第一分割隔壁の半径方向外方の端部間を結んだ包絡円は、第一分割隔壁より半径方向外方にある第二分割隔壁の半径方向内方の端部間を結んだ包絡円と略一致しているので、隔壁の送風翼として十分な有効長さが得られ十分な送風性能を確保できるので、隔壁を分断し隔壁の線上に間隔をあけることにより送風翼としての有効長さが短くなり送風性能の向上度合が少ないという特許文献１のような問題がないという効果を奏する。
【００１４】
さらに、前記第一分割隔壁の半径方向内方の端部と前記円板状摺動板の回転中心とを結ぶ中心線に対する前記第一分割隔壁の長手方向中心線がなす角度が減少するように構成されているので、円板状摺動板の回転によって第一分割隔壁から取り込まれた流れのうち第一分割隔壁の回転方向背面の流れは第二分割隔壁の半径方向内方の端部により分流させることでその一部を第二分割隔壁の正面の流れに効果的に合流することができるという効果を奏する。
【００１５】
上記構成によりなる本発明のブレーキディスクローターは、前記第一分割隔壁の半径方向内方の端部と前記円板状摺動板の回転中心とを結ぶ中心線に対する前記第一分割隔壁の長手方向中心線がなす角度が減少するように構成されているので、分割無しの隔壁に比べて分割によって長手方向長さが短く形成されている第一分割隔壁の背面に流れのよどみが出来にくく、かつ第一分割隔壁の半径方向外方の端部で、この流れが端部を回り込むように第一分割隔壁から剥離し第二分割隔壁に捕捉される流れが、乱れることなく第二分割隔壁により滑らかに取り込まれるという効果を奏する。
【００１６】
また、第一分割隔壁から取り込まれた流れは円板状摺動板の回転方向に対して凹状（Ｕ字状）を描くことになり、回転翼として機能する隔壁の背面に発生する流れのよどみ領域に張り出した状態になるので、よどみが出来にくくなるという効果を奏する。
【００１７】
さらに、第一分割隔壁の半径方向外方の端部で、この端部を回り込むように第一分割隔壁から剥離し第二分割隔壁に捕捉される流れは、この角度が半径方向外方に向かうにつれて順次減少しているので、流れに乱れを生じさせることなく円滑に第二分割隔壁により整流されるという効果を奏する。
【００１８】
また、第一分割隔壁の回転方向背面の流れは、この角度が半径方向外方に向かうにつれて順次減少していることで、第二分割隔壁の半径方向内方の端部により効率的に分流されたあと、その一部を第二分割隔壁の正面の流れに効果的に合流することができるという効果を奏する。
【００１９】
上記構成によりなる本発明のブレーキディスクローターは、各々の分割隔壁が前記円板状摺動板の回転方向に対して凹となるように形成されているので、平板状の分割隔壁が回転する時に出来る隔壁背面の流れのよどみ領域に凹状の張り出した状態になり、回転翼として機能する隔壁の背面の流れによどみがより出来にくくするとともに、出口開口の端部を回り込んで次のベンチホールの流れに向かって逆流することを効果的に抑制することができるという効果を奏する。
【図面の簡単な説明】
【００２０】
【図１】本発明の実施例を示すブレーキディスクローターのＡ−Ａ線に沿う横断面図
【図２】実施例のブレーキディスクローターを示す縦断面図
【図３】実施例のブレーキディスクローターの一部を示す横断面図
【図４】実施例のブレーキディスクローター内の流れを示す横断面図
【図５】実施例のブレーキディスクローターが車両に搭載された状態を示す一部を省略した斜視図
【図６】実施例のブレーキディスクローターが車両に取り付けられた状態を示す断面図
【図７】従来のブレーキディスクローターを示す図８のＢ−Ｂ線に沿う横断面図
【図８】従来のブレーキディスクローターを示す縦断面図
【図９】従来のブレーキディスクローターの流れを示す断面図
【図１０】定常流れの一部に円柱状の障害物が置かれた時の流れの状態を示す概念図
【発明を実施するための形態】
【００２１】
以下、本発明の実施の形態を図１〜図１０に基づいて説明する。
【実施例】
【００２２】
図５に本発明を適用した自動車をリフトアップした状態で下から見たものを示す。各ホィールＤＷの内側に配設したダストシールドＤＳの空気取入口ＩＬより吸入した空気をローターのベンチホールに導入することで制動により発生した摩擦熱を冷却するもので図１乃至図６を用いて詳細に説明する。
【００２３】
実施例のブレーキディスクローター１は図６の車軸ＡＳの軸方向に離間して配設された円板状の内側および外側の各摺動板１１および１２と、摺動板１１および１２の間にディスクの半径方向に放射状に配設された一連の分割隔壁を構成する複数のフィンと、摺動板１１および１２の間において半径方向内方および外方に開口した複数の開口３１および３２と、摺動板１１および１２と隣合うフィン２とによって形成される通路を構成する複数のベンチホール４と、各フィン２に形成され隣合うベンチホールを連通させる連通口５とから成る。
【００２４】
車両外側の摺動板１２は、図２に示すように車両内側の摺動板１１とともに段部１３を介して締付け用の穴を有する取付け部１４と一体に形成されている。
【００２５】
フィン２は、厚さ５ｍｍで外側および内側の摺動板の間に半径１２０ｍｍから半径１９０ｍｍの範囲に放射状に一体形成されている。即ち、内周側部分に相当する空気の入口部分２１は、図３に示すようにその先端２１Ｅと図示しないブレーキディスクローターの中心とを結ぶ直線Ｃに対してθ１度傾斜して形成されている。中間部分に相当する２２は、その先端２２Ｅとディスクの中心とを結ぶ直線に対して、入口部分２１の角度θ１より小さいθ２度傾斜して形成されており、外周側部分に相当する出口部分２３は、その先端２３Ｅとブレーキディスクローターの中心とを結ぶ直線に対して、中間部分２２の角度θ２よりさらに小さいθ３度傾斜して形成されている。
【００２６】
なお、実施例の場合は、θ１が５０度、θ２が２０度、θ３が５度に設定されているが、入口部分２１、中間部分２２、出口部分２３の配設角度は、ローター内への流れの流入角に応じて決定されるべきもので、ローターの回転数によっても流入角は変動するが、自動車用としては一般に入口部分２１の配設角度は３０度から７０度の範囲内が好ましいことが知られているので、それに準じた角度に設定することが好ましい。出口部分２３の配設角度は圧力面側の送風翼としての作用がより有効になるように０度から１５度の範囲内に設定し、中間部分２２の配設角度は流れをよどみなく効率的に流れるようにするために入口部分２１と出口部分２３の中間的な角度に設定することが好ましい。
【００２７】
各々のフィン２１、２２、２３はブレーキディスクローターの回転方向に対して半径１００ｍｍの凹形状で形成されている。また、フィン２１、２２の半径方向外方の端部２１Ｔ、２２Ｔは半円状に形成されている。これはフィン２１、２２の造形上半円形状の方が製造が容易であるという理由もさることながら、図１０で明らかなように定常流れの一部に円筒状の障害物を置いた時に円筒を巻き込むような流れＰＦが形成され障害物がない時には到達しない領域まで流れを導くことが出来ることに着目し、各端部２１Ｔ、２２Ｔを回り込んだ流れをよどみなくフィン２２、２３に導くためである。
【００２８】
また、入口部分２１の半径方向外方の端部２１Ｔ同士を結んだ包絡円と中間部分２２の半径方向内方の端部２２Ｅ同士を結んだ包絡円の半径は略同じ寸法で形成され、同様に２２Ｔと２３Ｅの包絡円の半径も同様に形成することで、中間部分２２、出口部分２３の圧力面側の送風翼としての作用がより有効になるように形成された３段フィン構造となっている。
【００２９】
フィン２１の半径方向外方の端部２１Ｔを巻くように流れる流れは、半径方向外方にあるフィン２２に沿って滑らかに流れ込み、２１Ｔと２２Ｅがなす隔壁の隙間に発生するよどみを極小化し、フィン２１の背面の流れの一部がこの隔壁の隙間を通過してフィン２２の前面の流れに合流することができる。隔壁の隙間の間隔は６ｍｍに設定してあるが、ベンチホールの空気の流れを阻害せずに効果をえるには４ｍｍから８ｍｍが好適である。なお、その次のフィン２２、２３の隔壁部分の間隙も同様な構成としてあり同様な効果を得ることができる。
【００３０】
本実施例では、フィン２１、２２、２３の半径方向の長さは各々略同じに設定してある。従って、フィン２１はディスクの中心とのなす角度が大きいのでその実長さは最も長く形成されており、効率的に流れを取り込むことが出来る。
【００３１】
上述の実施例は、説明のため例示したもので、本発明としてはそれらに限定されるものではなく、特許請求の範囲の記載から当業者が認識できる本発明の技術思想に反しない限り変更および付加が可能である。
【産業上の利用可能性】
【００３２】
本発明はブレーキディスクローターに限定されるものではなく、送風機としての機能を有する産業用機器にも適用できる。
【符号の説明】
【００３３】
１  ブレーキディスクローター
２  フィン
４  ベンチホール
５  連通口
１１  内側摺動板
１２  外側摺動板
２１  入口部分フィン
２２  中間部分フィン
２３  出口部分フィン
３１  入口開口
３２  出口開口
４１  よどみ領域
４２  主流域
【図１】
0005545484.tif 000002
【図２】
0005545484.tif 000003
【図３】
0005545484.tif 000004
【図４】
0005545484.tif 000005
【図５】
0005545484.tif 000006
【図６】
0005545484.tif 000007
【図７】
0005545484.tif 000008
【図８】
0005545484.tif 000009
【図９】
0005545484.tif 000010
【図１０】
0005545484.tif 000011